(57)【要約】【課題】倒立保管時にキャップ内部の水を十分に排出することができると共に、外部から水、ちり、ほこりが浸入を確実に防止しつつ、通気性を良好にして残留物の変質を防止できる倒立容器用キャップを提供する。【解決手段】倒立容器は、内容物を収容した可撓性のある容器本体１０と、容器本体１０の一側に設けられた内容物注出口１０ａに着脱可能な有底中空筒状のキャップ１２とを備えた容器であって、キャップ底面部１２ａの外面には容器を倒立保管可能な載置部１４を設けた倒立容器において、キャップ装着時に底面部１２ａと共に注出口１０ａを囲むキャップ側壁面部１２ｂには、底面方向に向いて開口する通気孔１６が形成された凹所１８を１以上例えば２〜８箇所設けて、この通気孔１６によってキャップ１２内外を通気してキャップ１２内の水分がキャップ１２外部に発散するようにしたものである。【選択図】図１
2009096478.tif 000002
【特許請求の範囲】
【請求項１】
内容物を収容した可撓性のある容器本体と、容器本体の一側に設けられた内容物注出口に着脱可能な有底中空筒状のキャップとを備えた容器であって、キャップ底面部の外面には容器を倒立保管可能な載置部を設けた倒立容器において、
キャップ装着時に底面部と共に注出口を囲むキャップ側壁面部には、底面方向に向いて開口する通気孔が形成された凹所を少なくとも１つ設けて、この通気孔によってキャップ内外を通気してキャップ内の水分がキャップ外部に発散するようにしたことを特徴とする特徴とする倒立容器用キャップ。
【請求項２】
キャップの凹所に形成された通気孔は、容器の倒立載置時に上方視で側壁面部の外面によって覆われていることを特徴とする請求項１に記載の倒立容器用キャップ。
【請求項３】
キャップ底面部に、キャップ内の水分を流出させるための貫通孔を形成したことを特徴とする請求項１に記載の倒立容器用キャップ。
【請求項４】
キャップ底面部は、容器の倒立載置状態において中央部よりも外縁部が周壁部方向に向けて傾斜した概略板状に形成されており、キャップ内の水分を流出させるための貫通孔が上記外縁部に形成されていることを特徴とする請求項４に記載の倒立容器用キャップ。
【請求項５】
キャップ底面部の載置部は、側壁面部と反対側方向に周壁部を立設したものであり、この周壁部の先端に、容器を倒立載置した時に通気するための切り欠きを設けたことを特徴とする請求項１、３または４に記載の倒立容器用キャップ。
【発明の詳細な説明】
【技術分野】
【０００１】
本発明は、容器不使用時にキャップを装着した状態で容器を倒立させて水平面上に載置する倒立容器用のキャップであって、キャップ内の水分を排出しかつ通気性のある構造の倒立容器用キャップに関する。
【背景技術】
【０００２】
従来、各種容器、特に、柔軟性のあるチューブ容器に粘性ある流動体を収容した製品の中には、図８（ａ）に示すように、不使用時にキャップａを容器本体ｂに螺合するなどして注出口ｃ（破線で示す）を閉めた後に、そのキャップａを下方に向けてそのキャップａの支えによって容器を倒立状態で置いて保管（倒立保管）できるようにした倒立容器が知られている。なお、図８（ｂ）に示すように、キャップａの底面（使用時の先端面）ａ１が平坦に形成された載置面となっている。
【０００３】
この種の倒立容器は、不使用時に場所を取らないばかりか、置いた状態の安定性が良く、また、容器先端側に内容物が下がるので、使用時にチューブ注出口から直ぐに内容物を絞り出すことができるなど利便性が高い。
【０００４】
この種の倒立容器では、特開２００４−２５００７９号公報（特許文献１）に開示されるような、洗面所などの水回りで使用する倒立容器では、使用時に容器本体に水滴が付着しやすい。キャップを閉めて倒立設置した後に、その付着した水がキャップと容器本体の接続部からキャップ内に水滴が浸入して、水が溜まってしまい、保管環境次第ではキャップ内部に水とともにちりが流れ込む等する。使用後キャップを閉め手保管するときに、キャップ内に残留物があるまま水分が乾燥していないと、残った水分によって残留物が変質して、使用時に不快感を与える虞がある。
【０００５】
現行の多くのキャップでは、浸入した水を排出する機構が設けられておらず、かつ、キャップ内部に溜まった水の乾燥を促す機能を付与したものは見られない。
【０００６】
一方、文献では、キャップ底面や側面に孔を開けて水を排出や通気を意図した特許公報記載の技術が存在する。
【０００７】
例えば実開平５−５４３１１号公報（特許文献１）では、キャップ底面部を湾曲させてその底面部に水抜き孔を開けた構成として、倒立時にキャップ内の水を抜くこと目的としている。
【０００８】
また、実開平５−５８６５２号公報（特許文献２）では、キャップ底面部を傾斜させかつ底面部に水抜き孔を形成して、これもまた、倒立時にキャップ内の水を抜くこと目的としている。
【０００９】
また、特開平８−１１９０３号公報（特許文献３）では、ヒンジキャップの本体と蓋部の底面に水抜き孔を付与して、これもまた、倒立時にキャップ内の水を抜くこと目的としている。
【００１０】
また、特開２００１−４８２０３号公報（特許文献４）では、ヒンジキャップ本体の側壁面部に水抜き孔を形成している。水抜き孔は倒立時にキャップ内の水を抜くことを目的とするのみであって、水の表面張力で水抜き孔が塞がれる可能性があることから、乾燥を高効率で行うことを目的としてない。事実、同公報の図２等を参照すると、水抜き誘導路が狭く水抜き孔は単に側壁面の貫通孔であるため、外部から水、ちり、ほこりがキャップ内に浸入する可能性がある。
【００１１】
また、特開２００４−２５００７９号（特許文献５）では、ヒンジキャップのヒンジ部に水抜き孔を形成しているが、それは単に水抜きを目的とする孔にすぎない。
【特許文献１】実開平５−５４３１１号公報
【特許文献２】実開平５−５８６５２号公報
【特許文献３】特開平８−１１９０３号公報
【特許文献４】特開２００１−４８２０３号公報
【特許文献５】特開２００４−２５００７９号
【発明の開示】
【発明が解決しようとする課題】
【００１２】
前述のように、従来の倒立容器用キャップは、水抜き孔が形成されていても、内部からの水抜きのみしかできず、水、ちり、ほこりの外部からキャップ内への浸入を十分に防止することができないという問題点を有している。
【００１３】
また、従来は、キャップ内に溜まった水を水抜き孔で排出できたとしても、通気性を十分に考慮していないでの乾燥しにくく、残った水分によるキャップ内残留物の変質等を防止することができない問題点がある。
【００１４】
本発明は、斯かる実情に鑑み、倒立保管時にキャップ内部の水を十分に排出することができると共に、外部から水、ちり、ほこりが浸入を確実に防止しつつ、通気性を良好にして残留物の変質を防止できる倒立容器用キャップを提供しようとするものである。
【課題を解決するための手段】
【００１５】
本発明は倒立容器用キャップに係るものである。
【００１６】
本発明は、内容物を収容した可撓性のある容器本体と、容器本体の一側に設けられた内容物注出口に着脱可能な有底中空筒状のキャップとを備えた容器であって、キャップ底面部の外面には容器を倒立保管可能な載置部を設けた倒立容器において、
キャップ装着時に底面部と共に注出口を囲むキャップ側壁面部には、底面方向に向いて開口する通気孔が形成された凹所を少なくとも１つ設けて、この通気孔によってキャップ内外を通気してキャップ内の水分がキャップ外部に発散するようにしたことを特徴とする特徴とする倒立容器用キャップである。
【００１７】
本発明において、キャップの凹所に形成された通気孔は、容器の倒立載置時に上方視で側壁面部の外面によって覆われていることが好適である。
【００１８】
本発明において、キャップ底面部に、キャップ内の水分を流出させるための貫通孔を形成したことが好適である。
【００１９】
本発明において、キャップ底面部は、容器の倒立載置状態において中央部よりも外縁部が周壁部方向に向けて傾斜した概略板状に形成されており、キャップ内の水分を流出させるための貫通孔が上記外縁部に形成されていることが好適である。
【００２０】
本発明において、キャップ底面部の載置部は、側壁面部と反対側方向に周壁部を立設したものであり、この周壁部の先端に、容器を倒立載置した時に通気するための切り欠きを設けたことが好適である。
【００２１】
本発明において、倒立容器が、内容物が練り歯磨きであるスタンディングタイプの歯磨き容器であることが好適である。
【発明の効果】
【００２２】
本発明の倒立容器用キャップによれば、キャップ側壁面部に、底面方向に向いて開口する通気孔が形成された凹所を少なくとも１つ設けて、この通気孔によってキャップ内外を通気してキャップ内の水分がキャップ外部に発散するようにしたので、キャップを閉めて容器を倒立載置した時に、キャップ内に水分があってもその通気によって効率よく発散できることから、キャップ内の残留内容物が変質することが無く、再使用時に不具合が生じることが無い。
【００２３】
なお、本発明において、凹所に形成された通気孔が、容器の倒立載置時に上方視で側壁面部外面によって覆われていれば、上方から水、チリ、ほこりなどが落ちてきても側壁面部外面によって通気孔への浸入が防止されるのでキャップ内が外部の水、チリ、ほこりで汚れることがない。また、凹所への水、チリ、ほこりの降りかかりも防止できるため、凹所が汚れることを防止できる。
【００２４】
本発明において、キャップ底面部に、キャップ内の水分を流出させるための貫通孔を形成すれば、キャップ内に水が浸入し、または残留していても速やかに外部に流出させることができ、キャップ内の水分の残留による汚損等の不具合を防止できる。
【００２５】
本発明において、キャップ底面部の載置部は、側壁面部と反対側方向に周壁部を立設したものとし、この周壁部の先端に、容器を倒立載置した時に通気するための切り欠きを設ければ、周壁部を台上などの載置面に当接して容器を倒立載置しているときに、切り欠きを介して周壁部内での通気性が確保できる。例えば底面部に形成された貫通孔を経由して周壁部内に水分が流れ出しても、その通気によっていち早く水分は蒸発発散することから、周壁部内の水分の残留による汚損等の不具合を防止できる。
【００２６】
本発明において，キャップ底面部が、容器の倒立載置状態において中央部よりも外縁部が周壁部方向に向けて傾斜した概略板状に形成されており、キャップ内の水分を流出させるための貫通孔が上記外縁部に形成されていれば、キャップ内の水分が底面部に沿って外縁部に流れて集まり、その外縁部に形成された貫通孔から効率よく流れ出させることができる。
【００２７】
本発明において、倒立容器が、内容物が練り歯磨きであるスタンディングタイプの歯磨き容器とすれば、この種の歯磨き容器が洗面所等の水を良く使用する場所で載置保管する必要性の高い容器であるので、利用分野としては最も好適である。
【発明を実施するための最良の形態】
【００２８】
以下、本発明の実施の形態を添付図面を参照して説明する。
【００２９】
図１〜図７は発明を実施する形態の各例の説明図である。
図１（ａ）は、第１実施形態に係る倒立容器用キャップの倒立載置状態の全体側面図、（ｂ）は、キャップの周辺の縦断面図、図２（ａ）〜（ｃ）は、第１実施形態に係るキャップの凹所を変更した各変形例１〜３の倒立容器用キャップの説明図、図３（ａ），（ｂ）は第１実施形態に係り、（ｃ）は第２実施形態に係る倒立容器用キャップの説明図、図４（ａ），（ｂ）は第２実施形態の倒立容器用キャップの詳細断面図、図５（ａ）〜（ｆ）は第２実施形態に係る倒立容器用キャップのキャップ底面部に貫通孔を形成した各変形例１〜６の説明図、図６（ａ）はキャップ底面部にキャップ内の水分を流出させるための貫通孔が形成されていない例、（ｂ）〜（ｄ）は貫通孔が形成されていて傾斜角度がそれぞれの各本発明例の断面説明図、図７（ａ）〜（ｆ）は第３実施形態に係る倒立容器用キャップに周壁部を立設したものにおいて、その周壁部に形成する切り欠きの各変形例１〜５の説明図である。
【００３０】
図１、図３（ａ）〜（ｂ）に示すように、第１実施形態に係る倒立容器用キャップにおいては、キャップ１２の嵌合する容器本体１０は、図８に示したチューブ容器と同様であり、柔軟な可撓性がある内容物に応じた遮液性の有るラミナート層からなる容器であり、その容器本体１０には、突出して注出口１０ａが形成されている。容器本体１０のラミネート層は金属層と樹脂層が多層に形成されたものであって、注出口１０ａが樹脂成形（ポリエチレンやポリプロピレン等の材料製）によって一体にされている。又、キャップ１２は樹脂成形（ポリエチレンやポリプロピレン等の材料製）されていて弾性変形し易く、使用者が弾性変形させることによって注出口１０ａからキャップ１２を容易に取り外しできる構成になっている。
【００３１】
この場合の倒立容器は、内容物を収容した可撓性のある容器本体１０と、容器本体１０の一側に設けられた内容物注出口１０ａに着脱可能な有底中空筒状のキャップ１２とを備えた容器であって、キャップ底面部１２ａの外面には容器を倒立保管可能な載置部１４（周壁部が突出している）を設けた倒立容器において、キャップ装着時に底面部１２ａと共に注出口１０ａを囲むキャップ側壁面部１２ｂには、底面方向に向いて開口する通気孔１６が形成された凹所１８を１以上例えば２〜８箇所設けて、この通気孔１６によってキャップ１２内外を通気してキャップ１２内の水分がキャップ１２外部に発散するようにしたものである。
【００３２】
図１（ｂ）に示すように、キャップ１２は、容器本体１０の注出口１０ａを外嵌して注出口１０ａを外嵌して閉じかつキャップ１２が抜け落ちないようする筒状嵌合部１２ｃが突出形成されている。このように不使用時にキャップ１２を容器本体１０に嵌合して注出口を閉めた後に、そのキャップ１２を下方に向けてそのキャップ１２の支えによって容器を倒立状態で置いて保管（倒立保管）できるようにした倒立容器としている。
【００３３】
キャップ１２の凹所１８に形成された通気孔１６は、容器の倒立載置時に上方視で側壁面部１２ｂの外面によって覆われている。
【００３４】
第１実施形態では、この凹所１８および且通気孔１６が、図１、図３（ａ），（ｂ）に示すように、同様の大きさ形状のものを複数形成しており、各通気孔１６同士が空気の流通をしてルーバーの機能を果たしている。また、凹所１８はキャップ側面に上広いくさび状に形成されている。この形状によって、成型時に金型から成型品を容易に抜けるようになっている。
【００３５】
第１実施形態に係る倒立容器用キャップによれば、キャップ側壁面部１２ａに、底面部１２ａ方向に向いて開口する通気孔１６が形成された凹所１８を複数等少なくとも１つ設けて、この通気孔１６によってキャップ１２内外を通気してキャップ１２内の水分がキャップ外部に発散するようにしたものである。
【００３６】
したがって、キャップ１２を閉めて容器を倒立載置した時に、キャップ１２内に水分があってもその通気によって効率よく発散できることから、キャップ１２内の残留内容物が変質することが無く、再使用時に不具合が生じることが無い。
【００３７】
また、本第１実施形態では、凹所１８に形成された通気孔１６が、容器の倒立載置時に上方視で側壁面部１２ｂ外面によって覆われているので、上方から水、チリ、ほこりなどが落ちてきても側壁面部１２ｂ外面が庇の機能を奏するので通気孔１６への浸入が防止される。
したがって、キャップ１２内が外部の水、チリ、ほこりで汚れることがない。また、凹所１８への水、チリ、ほこりの降りかかりも防止できるため、凹所１８が汚れることを防止できる。
【００３８】
上記凹所１８および且通気孔１６の形態は、その他、図２（ａ）に示す変形例１のように、複数の凹所１８それぞれに大小があっても（長さに変化を付けても）よい。キャップ１２の強度をまた、同図（ｂ）に示す変形例２のように、凹所１８が台形のように幅広く、様々の形状としてもよい。台形にすれば周方向に長い通気孔１６を形成することができ、空気の流通量を多くすることができる。また、同図（ｃ）に示す変形例３のように、凹所１８の軸方向の位置が上下と異なるものとしてもよい。（ａ）〜（ｃ）の変形例は、外観デザイン上のみならず複数の通気孔および凹所１８を形成するのにキャップ１２の弾性や強度を保持するために種々に選択したものである。
【００３９】
図３（ｃ）、図４は、本発明の第２実施形態に係る倒立容器用キャップ１２の説明図であり、このキャップ１２には、その底面部１２ａに、キャップ内の水分を流出させるための貫通孔２０を形成したものである。貫通孔２０は単数、複数形成できる。
【００４０】
このように、キャップ底面部１２ａに、キャップ１２内の水分を流出させるための貫通孔２０を形成すれば、キャップ１２内に水が浸入し、または水が残留していても速やかに外部に流出させることができ、キャップ１２内の水分の残留による汚損等の不具合を防止できる。
【００４１】
また、この第２実施形態に係るキャップ１２は、通気状態をみれば、図４に矢印で示すように、上記通気孔１６から入ってきた外気がキャップ１２内を通って貫通孔２０から出て行くので、通気孔１６のみを形成した場合に比較して、空気の流れが効率よく、かつ、水の流れに沿うようになるので貫通孔２０出側までも乾燥を図ることできる。
【００４２】
また、図４に示すように、キャップ底面部１２ａは、容器の倒立載置状態において中央部よりも外縁部が側壁面部１２ｂ方向に向けて傾斜した概略板状に形成されており、キャップ１２内の水分を流出させるための貫通孔２０が上記外縁部に形成されている。
【００４３】
第２実施形態に係るキャップ１２は、上記のように、キャップ底面部１２ａが、中央部よりも外縁部が側壁面部１２ｂ方向に向けて傾斜した概略板状に形成されており、キャップ１２内の水分を流出させるための貫通孔２０が上記外縁部に形成されているので、キャップ１２内の水分が底面部に沿って外縁部に流れて集まり、その外縁部に形成された貫通孔２０から効率よく流れ出させることができる。
【００４４】
図５（ａ）〜（ｆ）は，第２実施形態に係るキャップの貫通孔２０を種々に形成した各変形例４〜９の説明図である。
【００４５】
（ａ）の変形例４は、キャップ１２の底面部１２ａの周縁に４つの略矩形状の貫通孔２０を等間隔で形成したものである。また、（ｂ）の変形例５は、キャップ１２の底面部１２ａの周縁に８つの略矩形状の貫通孔２０を等間隔で形成したものである。さらに、（ｃ）の変形例６は、キャップ１２の底面部１２ａの周縁に１つの略矩形状の貫通孔２０を任意に位置に形成したものである。
【００４６】
また、（ｄ）の変形例７は、キャップ１２の底面部１２ａの周縁に４つの略円形状の貫通孔２０を形成したものである。（ｅ）の変形例８は、キャップ１２の底面部１２ａの周縁に８つの略円形状の貫通孔２０を形成したものである。（ｆ）の変形例９は、キャップ１２の底面部１２ａの周縁に１つの略円形状の貫通孔２０を形成したものである。
【００４７】
上記の各変形例に示すように、貫通孔２０は適宜位置に少なくとも１つ形成できるが、排水性および通風性の観点から複数が好ましい。
【００４８】
また、第２実施形態では、キャップ底面部１２ａが、容器の倒立載置状態において中央部よりも外縁部が周壁部方向に向けて傾斜した概略板状に形成されており、キャップ内の水分を流出させるための貫通孔２０が上記外縁部に形成されている。したがって、キャップ１２内の水分が底面部１２ａに沿って外縁部に流れて集まり、その外縁部に形成された貫通孔２０から効率よく流れ出させることができる。
【００４９】
図６に傾斜した底面部１２ａの説明図を示す。図６に示すキャップ１２はそれぞれが通気孔１６と凹所１８を省略していている。
【００５０】
図６の（ａ）では貫通孔が形成されておらず平坦な底面部１２ａの形状のキャップ１２である。これに対して、図６の（ｂ）に示す例は、底面部１２ａでは、中央部の筒状嵌合部１２ｃから周縁部方向に掛けて前方に向けて傾斜しているキャップ１２であり、その周縁部に貫通孔２０が形成されている。図５の（ａ），（ｂ），（ｄ），（ｅ）の貫通孔２０が形成されたキャップ１２が対応する．
また、図６の（ｃ）に示す例は、底面部が一方の周縁部から他方の周縁部に掛けて傾斜しているキャップ１２であり、一方の縁部に向けて水分を流し込み、貫通孔２０から排出する。図５の（ｃ）や（ｆ）の貫通孔２０の形成されたキャップ１２が対応する。
【００５１】
また、図６の（ｄ）に示す例では貫通孔が形成されている平坦な底面部１２ａの形状のキャップ１２である。
【００５２】
図７に示すように、第３実施形態に係るキャップ１２は、キャップ底面部１２ａの載置部１４は、側壁面部１２ｂと反対側方向に略筒状に周壁部２２を立設したものであり、この周壁部２２の先端には、容器を倒立載置した時に通気するための切り欠き２４を設けている。
この周壁部２２に形成した切り欠き２４は、周壁部２２先端から０．５〜５（ｍｍ）の範囲で形成することが好ましく、水の表面張力を考慮して１．０〜３（ｍｍ）の範囲であることが最も小さい寸法である。
【００５３】
第３実施形態に係るキャップ１２の切り欠２４きは、図６（ａ）に示すように、概略三角形状に斜面方向を揃えて形成する。また、（ｂ）の変形例１０に示すように、切り欠き２４Ａは、比較的小さな略弧状に複数形成する。（ｃ）の変形例１１に示すように、切り欠き２４Ｂは、比較的大きな略弧状に１対または２対形成する。（ｄ）の変形例１２に示すように、切り欠き２４Ｃは、略矩形状に複数形成する。（ｅ）の変形例１３に示すように、切り欠き２４Ｄは、略弧状に上記（ｂ）の変形例９よりは少なく形成する。（ｆ）の変形例１４に示すように、切り欠き２４Ｅは、概略三角形状に向きを対向させて形成する。
【００５４】
本発明の倒立容器用キャップは、倒立容器が、内容物が練り歯磨きであるスタンディングタイプの歯磨き容器とすれば、この種の歯磨き容器が洗面所等の水を良く使用する場所で載置保管する必要性の高い容器であるので、利用分野としては最も好適である。
【００５５】
しかしながら、本発明は、上記の実施形態に限定されるものではなく、本発明の要旨を逸脱しない範囲内において種々変更を加え得ることは勿論である。
【図面の簡単な説明】
【００５６】
【図１】（ａ）は第１実施形態に係る倒立容器用キャップの倒立載置状態の全体側面図、（ｂ）はキャップの周辺の縦断面図である。
【図２】（ａ）〜（ｃ）は、第１実施形態に係るキャップの凹所を変更した各変形例１〜３の倒立容器用キャップの説明図である。
【図３】（ａ），（ｂ）は第１実施形態に係り、（ｃ）は第２実施形態に係る倒立容器用キャップの説明図である。
【図４】（ａ），（ｂ）は第２実施形態に係るキャップの詳細断面図である。
【図５】（ａ）〜（ｆ）は第２実施形態に係る倒立容器用キャップのキャップ底面部に貫通孔を形成した各変形例１〜６の説明図である。
【図６】（ａ）はキャップ底面部にキャップ内の水分を流出させるための貫通孔が形成されていない例、（ｂ）〜（ｄ）は貫通孔が形成されていて傾斜角度がそれぞれの各本発明例の断面説明図である。
【図７】（ａ）〜（ｆ）は第３実施形態に係る倒立容器用キャップに周壁部を立設したものと、その周壁部に形成する切り欠きの各変形例１〜５の説明図である。
【図８】（ａ）、（ｂ）は従来の倒立容器の側面図、底面図である。
【符号の説明】
【００５７】
１０  容器本体
１０ａ  注出口
１２  キャップ
１２ａ  キャップの底面部
１２ｂ  キャップの側壁面部
１２ｃ  キャップの筒状嵌合部
１４  載置部
１６  通気孔
１８  凹所
２０  貫通孔
２２  周壁部
２４、２４Ａ〜２４Ｅ  切り欠き
【図１】
2009096478.tif 000003
【図２】
2009096478.tif 000004
【図３】
2009096478.tif 000005
【図４】
2009096478.tif 000006
【図５】
2009096478.tif 000007
【図６】
2009096478.tif 000008
【図７】
2009096478.tif 000009
【図８】
2009096478.tif 000010